(57)【要約】【課題】使用前に１度だけユーザーに対して所定の作業を促すことの可能なコネクタ用表示具を提供する。【解決手段】コネクタ用表示具１０は、第１表示部材１２により構成されている。第１表示部材１２の表面１４には、ユーザーに対して、コネクタの使用前にユーザーに所定の作業を促す情報、本実施形態では、コネクタの使用前にＣＤ−ＲＯＭのソフトをインストールする作業を促す第１の情報が表示されている。第１表示部材１２の裏面の接着部１６には、接着剤が塗布されている。コネクタ３４の接続部３４Ａには、第１表示部材１２が、接着部１６に塗布された接着剤を介して接着されている。したがって、コネクタ３４は、第１表示部材１２が除去されなければ、外部機器の対応する接続端子へ接続不能となっている。第１表示部材１２は、ユーザーにより、コネクタ３４から剥離可能とされている。【選択図】  図１
2004239994.tif 000002
【特許請求の範囲】
【請求項１】
コネクタに取り付けられるコネクタ用表示具であって、
コネクタの使用前にユーザーに所定の作業を促す第１の情報が表示され、ユーザーによってこのコネクタ用表示具が除去されなければコネクタを接続不能な位置に取り付けられ、前記コネクタから除去可能とされた第１表示部材、
を備えたコネクタ用表示具。
【請求項２】
コネクタの接続時に有効とされる第２の情報が表示され、前記コネクタの接続に支障のない位置に取り付けられた第２表示部材、をさらに備えた請求項１に記載のコネクタ用表示具。
【請求項３】
前記第１表示部材と前記第２表示部材とは一体的に構成されると共に、各々が分離可能とされていることを特徴とする請求項２に記載のコネクタ用表示具。
【発明の詳細な説明】
【０００１】
【発明の属する技術分野】
本発明は、コネクタに取り付けられるコネクタ用表示具に関する。
【０００２】
【従来の技術】
従来より、コネクタを接続させる際にユーザーに所定の注意を促すために、様々な表示具が利用されている。例えば、特許文献１では、図１３に示すように、温水プラグ１００を、表示具としての保護カバー１０２で覆い、保護カバー１０２に温水プラグ１００に関する警告を記載することにより、ユーザーへ所定の注意を促している。また、特許文献２では、図１４に示すように、プラグ１１０のケーブル部分にプラグ１１０が取り付けられている機器名の表示された表示具としてのタグ表示具１１２を取り付け、プラグ１１０がどの機器のものかを、ユーザーに示している。また、特許文献３では、図１５に示すように、ケーブルコネクタ１２０が接続される先の機器１２２のコネクタ１２４に、所定の注意書きの記載された表示具としてのカバーシート１２６が設けられ、この注意書きによりユーザーへ所定の注意を促している。
【０００３】
ところで、所定の電子機器の場合には、当該電子機器と他の電子機器とをケーブルで接続して使用する前に１度だけユーザーにより所定の作業が行われなければならないものがある。しかしながら、特許文献１、２に記載された技術では、ユーザーに前記所定の作業を促そうとしても、表示具を除去することなくコネクタを接続可能であるため、ユーザーへの告知としては不十分であった。また、特許文献３に記載された技術では、表示具によりコネクタが覆われているため、ユーザーはコネクタを接続する際に表示具を移動させる必要があるが、この表示具はコネクタの未使用時には、常時コネクタの接続部を覆う位置にあるため、所定の作業が行われた後も前記所定の作業を促すことになるという不都合が生じてしまう。
【０００４】
【特許文献１】
実用新案登録第３０７６０８０号公報
【特許文献２】
特開２００１−５３９３号公報
【特許文献３】
特開平５−２９９１２９号公報
【０００５】
【発明が解決しようとする課題】
本発明は、上記事実を考慮して成されたものであり、使用前に１度だけユーザーに対して所定の作業を促すことの可能なコネクタ用表示具を提供することを目的とする。
【０００６】
【課題を解決するための手段】
上記目的を達成するために、請求項１に記載のコネクタ用表示具は、コネクタに取り付けられるコネクタ用表示具であって、
コネクタの使用前にユーザーに所定の作業を促す第１の情報が表示され、ユーザーによってこのコネクタ用表示具が除去されなければコネクタを接続不能な位置に取り付けられ、前記コネクタから除去可能とされた第１表示部材、を含んで構成されている。
【０００７】
本発明のコネクタ用表示具の第１表示部材は、コネクタから除去可能とされていると共に、ユーザーによってこのコネクタ用表示具が除去されなければコネクタを接続不能な位置に取り付けられている。そこで、ユーザーがこのコネクタを使用する場合には、第１表示部材を除去する必要があるが、この第１表示部材には、コネクタの使用前にユーザーに所定の作業を促す第１の情報が表示されている。したがって、このコネクタ用表示具によれば、ユーザーに対して、コネクタが使用される前に、効果的に所定の作業を促すことができる。また、第１表示部材は、コネクタを使用する際にユーザーによって除去されるので、その後の使用の際にはユーザーに前記所定の作業が促されることはない。したがって、コネクタの使用前に１度だけユーザーに対して所定の作業を促すことができる。
【０００８】
なお、本発明のコネクタ用表示具は、請求項２に記載のように、コネクタの接続時に有効とされる第２の情報が表示され、前記コネクタの接続に支障のない位置に取り付けられた第２表示部材、をさらに含んで構成することもできる。
【０００９】
このコネクタ用表示具によれば、第２表示部材は、コネクタの接続に支障のない取り付けられているので、除去する必要がなく、ユーザーがコネクタを使用する際に随時、ユーザーに対して第２の情報を提示することができる。なお、第２の情報としては、例えば、コネクタの取り付けられている機器名、コネクタを使用する際の注意事項、などがある。
【００１０】
また、本発明のコネクタ用表示具は、請求項３に記載のように、前記第１表示部材と前記第２表示部材とが一体的に構成されると共に、各々が分離可能とされていることを特徴とすることもできる。
【００１１】
このように、第１表示部と第２表示部とを一体的に構成することにより、簡易に製造することができる。また、第１表示部と第２表示部とは、各々が分離可能とされているので、第１表示部が除去された後も、第２表示部をコネクタに取り付けたままにしておくことができる。
【００１２】
【発明の実施の形態】
［第１実施形態］
本実施形態におけるケーブル３０（図１参照）は、図示しないデジタルカメラを図示しない外部機器に接続するためのケーブルである。ケーブル３０により、当該デジタルカメラと外部機器とを接続して、デジタルカメラからのデータを外部機器へダウンロードする等の処理を行う際には、ユーザーにより外部機器に所定のＣＤ−ＲＯＭのソフトがインストールされなければならない構成のものである。
【００１３】
図１に示すように、ケーブル３０は、ケーブル部３２及びコネクタ３４を備える。コネクタ３４は、ケーブル３０の一端部に備えられ、接続部３４Ａ及び握り部３４Ｂを備える。接続部３４Ａは、外部機器の対応するコネクタに差し込まれる部分であり、握り部３４Ｂは接続部３４Ａとケーブル部３２との間に配置され、コネクタ３４の取り付け、及び、取り外しの際に、ユーザーによって握られる部分である。
【００１４】
図１に示すように、コネクタ用表示具１０は、第１表示部材１２により構成されている。第１表示部材１２の表面１４には、ユーザーに対して、コネクタの使用前にユーザーに所定の作業を促す情報、本実施形態では、コネクタの使用前にＣＤ−ＲＯＭのソフトをインストールする作業を促す第１の情報が表示されている。第１表示部材１２の裏面の接着部１６には、接着剤が塗布されている。
【００１５】
なお、第１表示部材１２は、帯電防止加工が施されていることが好ましい。
【００１６】
コネクタ３４の接続部３４Ａには、第１表示部材１２が、接着部１６に塗布された接着剤を介して接着されている。したがって、コネクタ３４は、第１表示部材１２が除去されなければ、外部機器の対応する接続端子へ接続不能となっている。第１表示部材１２は、ユーザーにより、コネクタ３４から剥離可能とされている。
【００１７】
次に、本実施形態の作用について説明する。
【００１８】
ユーザーがケーブル３０を用いてデジタルカメラと外部機器とを接続する際には、コネクタ３４を外部機器の対応するコネクタへ接続する。このとき、ユーザーは、コネクタ用表示具１０の第１表示部材１２をコネクタ３４から剥離しなければならないが、第１表示部材１２の表面１４には、コネクタの使用前にＣＤ−ＲＯＭのソフトをインストールする作業を促す第１の情報が表示されている。
【００１９】
したがって、上記コネクタ用表示具１０によれば、ユーザーに対して、コネクタが使用される前に効果的に、外部機器へＣＤ−ＲＯＭのソフトをインストールする作業を促すことができる。
【００２０】
また、一旦外部機器へソフトがインストールされれば、再度ユーザーへこのインストールを促す必要はなくなるが、本実施形態によれば、第１表示部材１２は、コネクタ３４を使用する際にユーザーによって除去される。したがって、その後のコネクタ３４の使用の際には、ユーザーに前記インストールが促されることはなく、コネクタ３４の使用前に１度だけユーザーに対して前記インストールを促すことができる。
【００２１】
なお、上記では、接着部１６に接着剤を塗布して第１表示部材１２を接続部３４Ａに接着した例について説明したが、第１表示部材１２を図２に示すような構成にして、接続部３４Ａに接着することもできる。すなわち、第１表示部材１２を、第１の情報が表示される表面層１２Ａ、接着可能部材からなる接着層１２Ｂ、及び接着層１２Ｂを覆う剥離可能な剥離層１２Ｃを積層させて構成する。そして、接着部１６の剥離層１２Ｃを接着層１２Ｂから剥離して接着層１２Ｂを露出させ、第１表示部材１２を接続部３４Ａに接着させる。このような構成とすることにより、第１表示部材１２の一部に接着材を塗布する必要がなくなり、簡易な方法で第１表示部材１２の一部分に接着機能を持たせることができる。
【００２２】
また、第１表示部材の形状は、上記の形状に限定されるものではない。例えば、図３に示す第１表示部材４２のように、袋状とすることもできる。この場合には、第１表示部材４２の表面１４に切込みを入れて開口４６を構成し、コネクタ３４の接続部３４Ａを、開口４４から第１表示部材４２の中へ挿入することにより、コネクタ用表示具１０をコネクタ３４に取り付ける。この構成によれば、コネクタ３４を覆うことができ、コネクタ３４へのゴミなどの付着を防止することができる。
【００２３】
また、図４に示す第１表示部材４６のように、筒状とすることもできる。この場合には、第１表示部材４６を熱により収縮可能な部材で構成すると共に、側部にミシン目４８を構成しておく。そして、図５（Ａ）に示すように、コネクタ３４を、第１表示部材４６の筒の内側に挿入した後に、加熱により第１表示部材４６を収縮させて、図５（Ｂ）に示すように、第１表示部材４６をコネクタ３４に密着させることにより取り付ける。ユーザーによる、第１表示部材４６のコネクタ３４からの除去は、ミシン目４８を切り離すことにより可能である。
【００２４】
また、図６に示す第１表示部材５０のように、上記第１表示部材４６の裏側の一部を切り離して構成することもできる。この場合にも、上記第１表示部材４６と同様にしてコネクタ３４へ取り付ける。また、ユーザーによる、第１表示部材５０のコネクタ３４からの除去は、ミシン目を切り離すことなく行うことができる。
【００２５】
なお、前記図４、６に示す第１表示部材４６、５０は、加熱収縮によらず、接着剤を介してコネクタ３４の接続部３４Ａへ接着させて取り付けてもよい。
【００２６】
また、図７に示す第１表示部材５４のように、Ｕ字状とすることもできる。この場合には、Ｕ字の端部内側に接着部１６を設け、接着部１６に接着剤を塗布して接続部３４Ａと接着させて、第１表示部材５４をコネクタ３４に取り付けることができる。
［第２実施形態］
次に第２実施形態について説明する。本実施形態については、第１実施形態と同様の部分については同一の符号を付して、詳細な説明は省略する。
【００２７】
図８（Ａ）に示すように、第２実施形態のコネクタ用表示具６０は、第１表示部材６２、及び第２表示部材６４により構成されている。第１表示部材６２、及び第２表示部材６４は、１枚のシートで一体的に構成され、ミシン目６３により分離可能とされている。
【００２８】
第１表示部材６２の表面１４には、ユーザーに対して、コネクタの使用前にユーザーに所定の作業を促す情報、本実施形態では、コネクタの使用前にＣＤ−ＲＯＭのソフトをインストールする作業を促す第１の情報が表示されている。第１表示部材６２の裏面の接着部１６には、接着剤が塗布されている。
【００２９】
第２表示部材６４の表面６５には、ユーザーに対して、コネクタ３４の接続時毎に有効とされる情報、本実施形態では、ケーブル３０がデジタルカメラのケーブルであることを明示する、第２の情報が表示されている。第２表示部材６４の裏面の接着部６６には、接着剤が塗布されている。
【００３０】
コネクタ３４の接続部３４Ａには、第１表示部材６２が、接着部１６に塗布された接着剤を介して接着されている。コネクタ３４の握り部３４Ｂには、第２表示部材６４が、接着部６６に塗布された接着剤を介して接着されている。したがって、コネクタ３４は、第１表示部材６２が除去されなければ、外部機器の対応するコネクタへ接続不能となっている。第１表示部材６２は、ユーザーにより、コネクタ３４から剥離可能とされている。
【００３１】
なお、第２表示部材６４の握り部３４Ｂへの接着強度は、第１表示部材６２の接続部３４Ａへの接着強度よりも強いことが好ましい。これは、第１表示部材６２がユーザーにより剥離可能とされているのに対し、第２表示部材６４は剥離されず握り部３４Ｂに接着されたまま使用されるため、容易に剥離されない強度で接着されているのが好ましいためである。
【００３２】
次に、本実施形態の作用について説明する。
【００３３】
ユーザーがケーブル３０を用いてデジタルカメラと外部機器とを接続する際には、コネクタ３４を外部機器の対応するコネクタへ接続する。このとき、コネクタ用表示具６０の第１表示部材６２は、ユーザーにより、ミシン目６３で第２表示部材６４から分離されてコネクタ３４から剥離されなければならないが、第１表示部材１２の表面１４には、コネクタの使用前にＣＤ−ＲＯＭのソフトをインストールする作業を促す第１の情報が表示されている。
【００３４】
したがって、上記コネクタ用表示具６０によれば、ユーザーに対して、コネクタが使用される前に効果的に、外部機器へＣＤ−ＲＯＭのソフトをインストールする作業を促すことができる。
【００３５】
また、一旦外部機器へソフトがインストールされれば、再度ユーザーへこのインストールを促す必要はなくなるが、本実施形態によれば、第１表示部材６２は、コネクタ３４を使用する際にユーザーによって除去される。したがって、その後のコネクタ３４の使用の際には、ユーザーに前記インストールが促されることはなく、コネクタ３４の使用前に１度だけユーザーに対して前記インストールを促すことができる。
【００３６】
また、第２表示部材６４は、第１表示部材６２が除去された後も、図８（Ｂ）に示すように、コネクタ３４の握り部３４Ｂに取り付けられたままなので、ユーザーに対して、コネクタ３４の設けられたケーブル３０が、デジタルカメラのケーブルである旨を明示することができる。
【００３７】
なお、第１表示部材、及び、第２表示部材の形状は、上記の形状に限定されるものではない。例えば、図９に示す、第１表示部材７２、及び、第２表示部材７４のように、袋状としてコネクタ用表示具７０を構成することもできる。この場合には、第２表示部材７４の表面６５に切込みを入れて開口７５を構成し、コネクタ３４を、開口７５から第２表示部材７４及び第１表示部材７２の中へ挿入することにより、コネクタ用表示具７０をコネクタ３４に取り付ける。
【００３８】
第１表示部材７２と第２表示部材７４とがミシン目６３で分離され、第１表示部材７２がコネクタ３４から除去された後は、図９（Ｂ）に示すように、第２表示部材７４のみがコネクタ３４に取り付けられた状態となる。
【００３９】
また、図１０に示す第１表示部材８２、及び、第２表示部材８４のように筒状として、構成することもできる。この場合には、第１表示部材８２、及び、第２表示部材８４を熱により収縮可能な部材で構成して、第１実施形態で説明した、第１表示部材４６（図５参照）と同様にしてコネクタ３４に取り付ける。ユーザーによる、第１表示部材４６のコネクタ３４からの除去は、ミシン目８３及びミシン目６３を切り離すことにより可能である。
【００４０】
第１表示部材８２がコネクタ３４から除去された後は、図１０（Ｂ）に示すように、第２表示部材８４のみがコネクタ３４に取り付けられた状態となる。
【００４１】
また、図１１に示す第１表示部材８６、及び、第２表示部材８８のように、上記第１表示部材８２、及び、第２表示部材８４の裏側の一部を切り離して構成することもできる。この場合にも、上記第１表示部材８２、及び、第２表示部材８４と同様にしてコネクタ３４へ取り付ける。また、ユーザーによる、第１表示部材８６のコネクタ３４からの除去は、ミシン目６３を切り離すことにより行うことができる。
【００４２】
なお、前記図１０に示す、第１表示部材８２、第２表示部材８４、及び、図１１に示す第１表示部材８６、第２表示部材８８は、加熱収縮によらず、接着剤を介してコネクタ３４の接続部３４Ａへ接着させて取り付けてもよい。
【００４３】
また、第１表示部材、第２表示部材は、図１２に示す第１表示部材９２、第２表示部材９４のように、Ｕ字状とすることもできる。この場合には、第２表示部材９４の内側に接着部６６を設け、接着部６６に接着剤を塗布して握り部３４Ｂと接着させて、コネクタ用表示具９０をコネクタ３４に取り付ける。ユーザーによる、第１表示部材９２のコネクタ３４からの除去は、ミシン目６３を切り離すことにより可能である。
【００４４】
第１表示部材８２がコネクタ３４から除去された後は、図１２（Ｂ）に示すように、第２表示部材９４のみがコネクタ３４に取り付けられた状態となる。
【００４５】
また、本実施形態では、第２の情報として、ケーブル３０がデジタルカメラのケーブルである旨を表示したが、第２の情報は、このようにケーブルの用途に限定されるものではない。その他にも、例えば、水濡れ禁止、折曲げ禁止、接続禁止コネクタの種類、などを第２の情報として表示することもできる。
【００４６】
また、本実施形態では、第１表示部材と第２表示部材とを一体的に構成している例について説明したが、第１表示部材と第２表示部材とは別体であってもよい。特に、一体的に構成することにより、別体とした場合と比較して部品点数を少なくすることができると共に、簡易に製造することができる。
【００４７】
【発明の効果】
以上説明したように、本発明のコネクタ用表示具によれば、第１表示部材が、コネクタから除去可能とされていると共に、ユーザーによってこのコネクタ用表示具が除去されなければコネクタを接続不能な位置に取り付けられているので、ユーザーに対して、コネクタが使用される前に、効果的に所定の作業を促すことができる。また、第１表示部材は、コネクタを使用する際にユーザーによって除去され、その後の使用の際にはユーザーに前記所定の作業が促されることはないので、コネクタの使用前に１度だけユーザーに対して所定の作業を促すことができる。
【図面の簡単な説明】
【図１】第１実施形態のコネクタ用表示具の正面図である。
【図２】第１実施形態のコネクタ用表示具の変形例を示す（Ａ）は上面図、（Ｂ）はＸ−Ｘでの（Ａ）の断面図である。
【図３】第１実施形態のコネクタ用表示具の他の変形例を示す斜視図である。
【図４】第１実施形態のコネクタ用表示具の他の変形例を示す斜視図である。
【図５】図４に示すコネクタ用表示具のコネクタへの取り付けを説明する正面図である。
【図６】図４に示すコネクタ用表示具の変形例を示す斜視図である。
【図７】第１実施形態のコネクタ用表示具の他の変形例を示す斜視図である。
【図８】第２実施形態のコネクタ用表示具の正面図である。
【図９】第２実施形態のコネクタ用表示具の変形例を示す図である。
【図１０】第２実施形態のコネクタ用表示具の他の変形例を示す図である。
【図１１】図１０に示すコネクタ用表示具の変形例を示す図である。
【図１２】第２実施形態のコネクタ用表示具の他の変形例を示す図である。
【図１３】従来例を示す図である。
【図１４】従来例を示す図である。
【図１５】従来例を示す図である。
【符号の説明】
１０、６０、７０、９０  コネクタ用表示具
１２、４２、４６、５０、５４、６２、７２、８２、８６、９２  第１表示部材
３０    ケーブル
３４    コネクタ
３４Ａ  接続部
３４Ｂ  握り部
６４、７４、８４、８８、９４  第２表示部材
【図１】
2004239994.tif 000003
【図２】
2004239994.tif 000004
【図３】
2004239994.tif 000005
【図４】
2004239994.tif 000006
【図５】
2004239994.tif 000007
【図６】
2004239994.tif 000008
【図７】
2004239994.tif 000009
【図８】
2004239994.tif 000010
【図９】
2004239994.tif 000011
【図１０】
2004239994.tif 000012
【図１１】
2004239994.tif 000013
【図１２】
2004239994.tif 000014
【図１３】
2004239994.tif 000015
【図１４】
2004239994.tif 000016
【図１５】
2004239994.tif 000017